(57)【特許請求の範囲】
【請求項１】
発光素子に電力を供給する電力供給部と、外部から入力される制御信号に応じて前記電力供給部を制御することにより所望の調光比にて前記発光素子を調光点灯させる調光制御部とを備え、
前記調光制御部は、前記制御信号が入力されるまでは前記電力供給部から前記発光素子への電力供給が停止され、前記制御信号が入力され次第、前記制御信号に応じた調光比にて前記発光素子を調光点灯させるように、前記電力供給部を制御し、
前記調光制御部は、前記制御信号に応じて大きさが決まる調光制御電圧と、前記電力供給部から前記発光素子に供給される電力の大きさを表す検出電圧とを比較し、前記検出電圧が前記調光制御電圧を下回ると前記電力供給部から前記発光素子へ電力供給させており、
前記制御信号の入力がないときに前記検出電圧が前記調光制御電圧を下回ることがないように、前記検出電圧には常時バイアスがかけられていることを特徴とする点灯装置。
【請求項２】
前記制御信号は、調光比の目標値に応じてデューティ比が変化する信号からなり、前記調光制御電圧は、前記制御信号のデューティ比によって大きさが変化することを特徴とする請求項１に記載の点灯装置。
【請求項３】
請求項１または請求項２に記載の点灯装置と、前記発光素子を有する発光ユニットとを備えることを特徴とする照明器具。
【発明の詳細な説明】
【技術分野】
【０００１】
本発明は、発光素子を点灯させる点灯装置およびそれを備えた照明器具に関する。
【背景技術】
【０００２】
たとえば店舗等で用いられる照明器具として、ＬＥＤ（Light Emitting Diode）や有機ＥＬ（Electro Luminescence）などの発光素子を点灯装置の出力によって点灯させ、発光素子の光出力を任意に変えることができる調光機能を有する器具が知られている。この種の照明器具は、点灯装置が、たとえば壁スイッチ等の調光操作部の操作に伴って制御信号を生成する制御装置からの制御信号を受け、発光素子を調光点灯させる。このような照明器具では、一般的に、ユーザが壁スイッチ等を操作することにより、点灯装置の電源が投入されると同時に、制御信号を発生する制御装置の電源も投入される（たとえば特許文献１参照）。
【０００３】
ところで、照明器具の電源投入後、直ちに制御信号が入力されるのであれば問題ないが、点灯装置の始動から遅れて制御信号が入力されることがある。フィラメントを有する一般的な放電灯用の点灯装置では、電源投入直後にフィラメントの事前予熱を行うため、始動に一定時間を要し、その間に放電灯が点灯しないように設定されているため、制御信号の入力が遅れた場合でもあまり問題にはならない。しかし、ＬＥＤ等の発光素子用の点灯装置では、事前予熱を行うことがなく電源投入後すぐに回路が始動するため、制御信号の入力が遅れた場合、発光素子が所望の光出力に調光制御される前に一瞬だけ全点灯した後、調光点灯に移行する可能性がある。
【０００４】
そこで、特許文献１に記載の照明器具では、点灯装置（電源装置）の電源投入直後から所定時間だけ制御信号（調光信号）をキャンセルすることによって、始動直後に一瞬だけ全点灯状態（全光状態）になるような現象を回避する。また、特許文献１には、点灯装置が制御信号をキャンセルする所定時間、基準信号にて直流出力を制御して発光素子を消灯させることも記載されている。
【先行技術文献】
【特許文献】
【０００５】
【特許文献１】特開２００９−２３２６２５号公報
【発明の概要】
【発明が解決しようとする課題】
【０００６】
しかし、特許文献１に記載の点灯装置では、電源投入直後から所定時間だけ制御信号がキャンセルされるので、電源投入から所定時間を過ぎても制御信号が入力されない場合、発光素子が所望の光出力に調光制御される前に一瞬だけ全点灯する可能性がある。また、所定時間が電源投入から制御信号が出力されるまでの最大遅れ時間より長く設定されている場合、制御装置ごとに遅れ時間にばらつきがあると無駄に所定時間が長くなり、結果的に、点灯装置の始動が遅れることになる。
【０００７】
本発明は上記事由に鑑みて為されており、発光素子が所望の光出力に調光制御される前に一瞬だけ全点灯することを確実に回避でき、また、制御装置ごとに電源投入から制御信号が出力されるまでの遅れ時間にばらつきがあっても始動が遅れることのない点灯装置およびそれを備えた照明器具を提供することを目的とする。
【課題を解決するための手段】
【０００８】
本発明の点灯装置は、発光素子に電力を供給する電力供給部と、外部から入力される制御信号に応じて前記電力供給部を制御することにより所望の調光比にて前記発光素子を調光点灯させる調光制御部とを備え、前記調光制御部は、前記制御信号が入力されるまでは前記電力供給部から前記発光素子への電力供給が停止され、前記制御信号が入力され次第、前記制御信号に応じた調光比にて前記発光素子を調光点灯させるように、前記電力供給部を制御し、前記調光制御部は、前記制御信号に応じて大きさが決まる調光制御電圧と、前記電力供給部から前記発光素子に供給される電力の大きさを表す検出電圧とを比較し、前記検出電圧が前記調光制御電圧を下回ると前記電力供給部から前記発光素子へ電力供給させており、前記制御信号の入力がないときに前記検出電圧が前記調光制御電圧を下回ることがないように、前記検出電圧には常時バイアスがかけられていることを特徴とする。
【００１１】
この点灯装置において、前記制御信号は、調光比の目標値に応じてデューティ比が変化する信号からなり、前記調光制御電圧は、前記制御信号のデューティ比によって大きさが変化することがより望ましい。
【００１２】
本発明の照明器具は、上記の点灯装置と、前記発光素子を有する発光ユニットとを備えることを特徴とする。
【発明の効果】
【００１３】
本発明は、発光素子が所望の光出力に調光制御される前に一瞬だけ全点灯することを確実に回避でき、また、制御装置ごとに電源投入から制御信号が出力されるまでの遅れ時間にばらつきがあっても始動が遅れることもない、という利点がある。
【図面の簡単な説明】
【００１４】
【図１】実施形態に係る照明器具の要部の構成を示す回路図である。
【図２】実施形態に係る照明器具の全体構成を示す回路図である。
【図３】実施形態に係る照明器具のフライバック回路の動作の説明図である。
【図４】実施形態に係る照明器具の調光制御回路の動作の説明図である。
【発明を実施するための形態】
【００１５】
本実施形態の照明器具１０は、図２に示すように発光ユニット１と点灯装置２とを備えている。この照明器具１０は、発光ユニット１の光出力を任意に変えることができる調光機能を有しており、たとえば壁スイッチ等の調光操作部の操作に伴って制御信号を生成する制御装置（図示せず）からの制御信号を受けて、発光ユニット１を調光点灯させる。このような照明器具１０では、一般的に、ユーザが壁スイッチ等を操作することにより、点灯装置２の電源が投入されると同時に、制御信号を発生する制御装置の電源も投入される。
【００１６】
点灯装置２は、電力供給部としてのフライバック回路２０を有し、フライバック回路２０から発光ユニット１内の発光素子１１に電力供給することにより発光ユニット１を点灯させる。発光ユニット１は、複数の発光素子１１の直列回路からなる。ここでいう発光素子は、ＬＥＤ（Light Emitting Diode）や有機ＥＬ（Electro Luminescence）など電力供給を受けて発光する素子を意味しており、本実施形態ではＬＥＤが発光素子１１として用いられる。
【００１７】
点灯装置２は、交流電源（商用電源）３に接続されたフィルタ回路２１と、フィルタ回路２１の出力を整流するダイオードブリッジからなる整流器２２と、整流器２２の出力に突入防止回路２３を介して接続された昇圧チョッパ回路２４とを有している。フライバック回路２０は、昇圧チョッパ回路２４の後段に設けられており、昇圧チョッパ回路２４で昇圧された直流電圧を入力として、発光ユニット１に印加する直流電圧を発生する。
【００１８】
さらに、点灯装置２は、後述するチョッパ制御部２４０並びにフライバック制御部２００用の電源を生成する制御電源部２５と、発光ユニット１の調光点灯を可能とする調光制御回路２６と、出力をフィードバックするフィードバック回路２７とを有している。詳しくは後述するが、調光制御回路２６は、外部（制御装置）から入力される制御信号に応じてフライバック回路２０を制御することにより、所望の調光比にて発光ユニット１を調光点灯させる。
【００１９】
昇圧チョッパ回路２４は、チョッパ制御部２４０の他、入力端間に接続されたコンデンサ２４１と、コンデンサ２４１の両端間に接続されるチョッパ用チョーク２４２および第１のスイッチング素子２４３との直列回路とを有している。ここでは第１のスイッチング素子２４３は、Ｎチャネル型のＭＯＳＦＥＴ（Metal-Oxide-Semiconductor Field-Effect Transistor）からなる。さらに、昇圧チョッパ回路２４は、第１のスイッチング素子２４３の両端（ドレイン−ソース）間に接続された、ダイオード２４４と電解コンデンサ２４５との直列回路を具備している。チョッパ用チョーク２４２は、一端が突入防止回路２３とコンデンサ２４１との接続点に接続され、他端がダイオード２４４のアノードに接続されている。第１のスイッチング素子２４３のゲートにはチョッパ制御部２４０が接続されている。
【００２０】
ここで、チョッパ制御部２４０は、チョッパ用チョーク２４２の二次側出力に応じて、第１のスイッチング素子２４３をオンオフさせるスイッチング制御を行う。これにより、昇圧チョッパ回路２４は、第１のスイッチング素子２４３がオンの期間にチョッパ用チョーク２４２にエネルギーを蓄積し、オフの期間にチョッパ用チョーク２４２のエネルギーにてダイオード２４４を介して電解コンデンサ２４５を充電する。その結果、昇圧チョッパ回路２４の出力端（電解コンデンサ２４５の両端）には、交流電圧のピーク値より昇圧された所望の直流電圧が発生する。
【００２１】
フライバック回路２０は、フライバック制御部２００の他、フライバックトランス２０１と、Ｎチャネル型のＭＯＳＦＥＴからなる第２のスイッチング素子２０２と、ダイオード２０３と、電解コンデンサ２０４と、抵抗２０５とを有している。フライバックトランス２０１の一次巻線と第２のスイッチング素子２０２とは、昇圧チョッパ回路２４の出力端間に直列に接続されている。フライバックトランス２０１の二次巻線には、ダイオード２０３と電解コンデンサ２０４と抵抗２０５とが直列に接続されている。電解コンデンサ２０４の両端には発光ユニット１が接続され、抵抗２０５とフライバックトランス２０１の二次巻線との接続点は回路グランドに接続されている。第２のスイッチング素子２０２のゲートにはフライバック制御部２００が接続されている。
【００２２】
ここで、フライバック制御部２００は、フライバックトランス２０１の一次側を流れる電流を検出し、検出した電流に応じて第２のスイッチング素子２０２をオンオフさせるスイッチング制御を行う。これにより、フライバック回路２０は、第２のスイッチング素子２０２がオンするとフライバックトランス２０１にエネルギーが蓄積され、オフするとフライバックトランス２０１のエネルギーにてダイオード２０３を介して電解コンデンサ２０４を充電する。その結果、フライバック回路２０の出力端（電解コンデンサ２０４の両端）には、平滑された直流電圧が発生し、この直流電圧が発光ユニット１に印加されることによって発光ユニット１が点灯する。
【００２３】
次に、フライバック回路２０の動作について図３を参照して説明する。図３では、（ａ）が第２のスイッチング素子２０２のドレイン−ソース間電圧Ｖｄｓ、（ｂ）が第２のスイッチング素子２０２のドレイン電流Ｉｄ、（ｃ）がフライバック制御部２００の出力電圧Ｖｏｕｔを表している。
【００２４】
図３に示すように、時刻Ｔ１において、出力電圧ＶｏｕｔがＬレベルからＨレベルに切り替わると、第２のスイッチング素子２０２がオンし、フライバックトランス２０１の一次側を流れるドレイン電流Ｉｄが徐々に大きくなる。その後、時刻Ｔ２においてドレイン電流Ｉｄが所定の閾値に達すると、フライバック制御部２００の出力電圧ＶｏｕｔはＨレベルからＬレベルになり、第２のスイッチング素子２０２がターンオフする。これにより、ドレイン電流Ｉｄが遮断され、第２のスイッチング素子２０２のドレイン−ソース間電圧Ｖｄｓが立ち上がって、フライバックトランス２０１の二次側に電流が流れることとなる。
【００２５】
その後、フライバックトランス２０１の二次側を流れる電流がゼロになり、第２のスイッチング素子２０２のドレイン−ソース間電圧Ｖｄｓが低下し始める。このとき、振動周波数等による遅延時間が生じるため、ドレイン−ソース間電圧Ｖｄｓが低下し始めてから遅延時間経過後の時刻Ｔ３になると、出力電圧ＶｏｕｔがＬレベルからＨレベルになり、第２のスイッチング素子２０２がターンオンする。
【００２６】
このように、フライバック回路２０は、第２のスイッチング素子２０２がオンオフすることによって、出力端（電解コンデンサ２０４の両端）に直流電圧を発生し、発生した直流電圧を発光ユニット１に印加する。
【００２７】
また、発光ユニット１は、発光素子１１を流れる電流が大きくなるほど光出力が大きくなる。発光素子１１を流れる電流の大きさは、図２に示すフライバックトランス２０１の二次巻線と電解コンデンサ２０４との間の抵抗２０５の両端電圧に反映され、発光素子１１の電流が大きくなるほど抵抗２０５の両端電圧が大きくなる。そこで、フィードバック回路２７は、電解コンデンサ２０４と抵抗２０５との接続点に接続され、抵抗２０５の両端電圧を検出することによって、発光ユニット１の光出力を反映したフィードバック信号をフライバック制御部２００にフィードバックする。
【００２８】
すなわち、フィードバック回路２７は、調光制御回路２６の出力を受け、発光ユニット１の光出力を調光制御回路２６にて決定される所望の調光比に合わせるように、抵抗２０５の両端電圧と調光制御回路２６の出力とを比較してフィードバック信号を生成する。フライバック制御部２００は、このフィードバック信号に従って第２のスイッチング素子２０２をスイッチング制御することにより、フライバック回路２０の出力を調節して発光ユニット１を所望の調光比で調光点灯させる。
【００２９】
以下、このような調光点灯を実現するための調光制御回路２６およびフィードバック回路２７の具体的な回路構成について、図１を参照して説明する。調光制御回路２６およびフィードバック回路２７は調光制御部を構成している。
【００３０】
調光制御回路２６は、入力段に設けられたダイオードブリッジ２６１と、ダイオードブリッジ２６１の出力に接続されたフォトカプラ２６２とを有している。ダイオードブリッジ２６１には、調光比の目標値に応じてデューティ比が変化するＰＷＭ（Pulse Width Modulation）信号からなる制御信号が、外部の制御装置（図示せず）から入力される。制御装置は、調光操作部（図示せず）の操作によって決まる調光比の目標値に応じて制御信号のデューティ比を変化させており、調光比の目標値が大きくなる（つまり全点灯に近づく）ほど制御信号のデューティ比を大きくする。制御装置は、点灯装置２とは別の電源回路を有するが、照明器具１０の起動時には点灯装置２と同時に電源投入される。                                                                     
【００３１】
フォトカプラ２６２の二次側には、抵抗２６３を介して制御電源部２５の出力する制御用電圧Ｖｃｃ１が印加されており、抵抗２６３とフォトカプラ２６２との接続点には、ｎｐｎ型のトランジスタ２６４のベースが接続されている。さらに、調光制御回路２６は制御ＩＣ（集積回路）２６５を有しており、トランジスタ２６４のコレクタは制御ＩＣ２６５の入力端子に接続され、エミッタは回路グランドに接続されている。制御ＩＣ２６５の電源端子には制御用電圧Ｖｃｃ１が印加される。
【００３２】
制御ＩＣ２６５の出力端子は、一対の抵抗２６６，２６７の直列回路を介して回路グランドに接続されており、抵抗２６６，２６７の接続点は、第３のスイッチング素子２６８のゲートに接続されている。基準電圧Ｖｃｃ２を発生する基準電源部（図示せず）の出力端間には一対の抵抗２７０，２７１の直列回路が接続され、第３のスイッチング素子２６８は抵抗２７０，２７１の接続点と回路グランドとの間に挿入されている。さらに、第３のスイッチング素子２６８と並列に、抵抗２７２およびコンデンサ２７３の直列回路が接続され、コンデンサ２７３と並列に、抵抗２７４およびコンデンサ２７５の直列回路が接続さている。
【００３３】
これにより、調光制御回路２６は、制御装置から入力された制御信号を、ダイオードブリッジ２６１にて整流後、フォトカプラ２６２にて絶縁、反転し、トランジスタ２６４にてさらに反転して制御ＩＣ２６５に入力する。制御ＩＣ２６５は、このようにして入力された信号波形を整形、反転し、ゲート信号として第３のスイッチング素子２６８をオンオフ制御する。つまり、第３のスイッチング素子２６８は、制御信号がＨレベルであればオフ、制御信号がＬレベルであればオンする。
【００３４】
第３のスイッチング素子２６８が制御信号に応じてオンオフすると、抵抗２７０，２７１の接続点Ｐ１には、図４（ａ）に示すようなパルス波が発生する。接続点Ｐ１に生じるパルス波は、制御信号と同じデューティ比で且つ同極性の波形である。つまり、接続点Ｐ１に生じるパルス波は、制御信号がＬレベルのときにＬレベルとなり、制御信号がＨレベルのときにＨレベルとなる。
【００３５】
このようなパルス波が接続点Ｐ１に生じると、抵抗２７２とコンデンサ２７３との接続点Ｐ２には、図４（ｂ）に示すように、抵抗２７２およびコンデンサ２７３からなる積分回路により平滑された波形が生じる。さらに、抵抗２７４とコンデンサ２７５との接続点Ｐ３には、図４（ｃ）に示すように、抵抗２７４およびコンデンサ２７５からなる積分回路により平滑された波形が生じる。
【００３６】
要するに、ＰＷＭ信号からなるパルス波は、二段階のローパスフィルタ（積分回路）によって、比較的リップル成分の少ない直流電圧に変換され、抵抗２７４とコンデンサ２７５との接続点Ｐ３から調光制御電圧としてフィードバック回路２７に出力される。言い換えれば、調光制御回路２６は、フィードバック回路２７に対し、制御信号のデューティ比に応じて大きさが決まる直流電圧を調光制御電圧として出力しており、制御信号のデューティ比が小さくなるほど調光制御電圧を小さくする。
【００３７】
フィードバック回路２７は、反転入力端子に調光制御電圧が入力されるオペアンプ２７６と、オペアンプ２７６の非反転入力端子に接続された抵抗２７７，２７８と、オペアンプ２７６の出力端子にベースが接続されたトランジスタ２７９とを有している。オペアンプ２７６の非反転入力端子は、抵抗２７７を介して制御電源部２５に接続されるとともに、抵抗２７８を介して電解コンデンサ２０４と抵抗２０５との接続点に接続されている。なお、図１では電解コンデンサ２０４の図示を省略している。
【００３８】
すなわち、制御電源部２５の出力する制御用電圧Ｖｃｃ１は、３つの抵抗２７７，２７８，２０５の直列回路で分圧され、抵抗２７８，２０５の両端電圧がオペアンプ２７６の非反転入力端子に入力される。ここで、抵抗２０５の両端電圧は上述したように発光ユニット１の光出力に応じて変化し、調光制御電圧は制御信号のデューティ比に応じて大きさが決まる。したがって、オペアンプ２７６は、フライバック回路２０から発光素子１１に供給される電力の大きさを表す抵抗２７８，２０５の両端電圧（以下、「検出電圧」という）と、制御信号に応じて大きさが決まる調光制御電圧とを比較することになる。これにより、オペアンプ２７６は、検出電圧が調光制御電圧よりも大きければトランジスタ２７９をオンし、検出電圧が調光制御電圧より小さければトランジスタ２７９をオフする。
【００３９】
トランジスタ２７９はフライバック制御部２００に接続されており、フライバック制御部２００は、トランジスタ２７９のオンオフに応じて、第２のスイッチング素子２０２のスイッチング制御を行う。ここで、フライバック制御部２００は、トランジスタ２７９がオフのときにのみ第２のスイッチング素子２０２のスイッチング制御を行い、トランジスタ２７９がオンのときには第２のスイッチング素子２０２のスイッチング制御を停止する。そのため、トランジスタ２７９がオンのときには、フライバック回路２０の動作は停止し、発光ユニット１は消灯状態となる。
【００４０】
要するに、フィードバック回路２７は、検出電圧と調光制御電圧とを比較した結果、検出電圧が調光制御電圧を下回っていると、フライバック回路２０を動作させてフライバック回路２０から発光素子へ電力供給する。一方、検出電圧が調光制御電圧を上回っていると、フライバック回路２０の動作を停止させて、フライバック回路２０から発光素子への電力供給を停止する。
【００４１】
上述した構成により、点灯装置２は、調光制御回路２６の出力する調光制御電圧がゼロであれば、発光ユニット１を消灯状態に維持し、一方、調光制御電圧が最大であれば、発光ユニット１を全点灯（定格点灯）状態とする。また、点灯装置２は、制御信号のデューティ比に応じて調光制御電圧が変化すると、調光制御電圧の変化に伴い発光ユニット１の光出力も変化させる。その結果、点灯装置２は、制御装置からの制御信号に応じて、消灯、全点灯を含む所望の調光比にて、発光ユニット１を調光点灯させることが可能である。
【００４２】
ところで、本実施形態においては、調光制御回路２６が外部（制御装置）から入力される制御信号に応じてフライバック回路２０を制御するので、点灯装置２の始動から遅れて制御信号が入力されることがある。しかも、発光素子１１用の点灯装置２では、一般的に、電源投入後すぐに回路が始動するため、制御信号の入力が遅れた場合、制御信号が入力されるまでの発光ユニット１の状態が不安定になることが考えられる。
【００４３】
そこで、本実施形態では、調光制御回路２６およびフィードバック回路２７からなる調光制御部は、制御信号の入力がないときには、電力供給部であるフライバック回路２０から発光ユニット１への電力供給が停止されるようにフライバック回路２０を制御する。すなわち、点灯装置２は、上述のように調光制御回路２６の出力する調光制御電圧がゼロであれば、トランジスタ２７９をオンにしてフライバック回路２０の動作を停止することによって、発光ユニット１への電力供給を停止し発光ユニット１を消灯状態に維持する。
【００４４】
ここにおいて、フィードバック回路２７は、検出電圧が調光制御電圧を下回るときにフライバック回路２０を動作させるので、制御信号の入力がないときに検出電圧が調光制御電圧を下回ることがないように、検出電圧には常時バイアスがかけられている。具体的には、上述したように制御電源部２５の出力する制御用電圧Ｖｃｃ１を、３つの抵抗２７７，２７８，２０５の直列回路で分圧し、抵抗２７８，２０５の両端電圧が検出電圧としてオペアンプ２７６に入力されている。これにより、検出電圧には制御用電圧Ｖｃｃ１によって常時バイアスがかけられるので、検出電圧は、発光素子１１に電力が供給されていなくてもゼロにはならず、制御信号の入力がないときの調光制御電圧を確実に上回ることになる。
【００４５】
以上説明した本実施形態の点灯装置２によれば、制御信号の入力がなければ、発光素子１１は消灯状態を維持するので、発光素子１１が所望の光出力に調光制御される前に一瞬だけ全点灯することによる閃光の発生を確実に回避することができる。しかも、特許文献１に記載の構成のように電源投入直後から所定時間だけ制御信号がキャンセルされる訳ではないので、点灯装置２は、制御信号が入力されると、直ちにこの制御信号に応じた調光比にて発光ユニット１を調光点灯させることができる。つまり、この点灯装置２は、制御装置ごとに電源投入から制御信号が出力されるまでの遅れ時間にばらつきがあっても、始動が遅れることがない。
【００４６】
結果的に、点灯装置２は、電源投入直後から遅れて制御信号が入力されたとしても、制御信号が入力されるまでは発光ユニット１を消灯状態とし、制御信号が入力され次第、発光ユニット１を調光点灯させることにより、緩やかな立ち上がりを実現できる。このような点灯装置２を照明器具１０に備えることにより、立ち上がりのスムーズな高品質の照明器具１０を提供することが可能になる。
【００４７】
また、検出電圧には常時バイアスがかけられるので、制御信号の入力がないときに、ノイズ等の影響により調光制御電圧がゼロでなくなることがあっても、検出電圧が調光制御電圧を下回ることはなく、確実にフライバック回路２０の動作を停止させることができる。したがって、点灯装置２は、制御信号の入力がないときには、ノイズ等の影響があったとしても、確実に発光素子１１を消灯状態に維持することができる。
【００４８】
さらに、本実施形態では、制御信号は、調光比の目標値に応じてデューティ比が変化するＰＷＭ信号からなり、調光制御電圧は、制御信号のデューティ比によって大きさが変化する。そのため、点灯装置２は、ＰＷＭ信号を制御信号として出力する一般的な制御装置と組み合わせて使用することができ、調光制御電圧の大きさを細かく設定することによって細やかな調光制御が可能となる。
【００４９】
さらにまた、本実施形態の点灯装置２によれば、電源投入時点からの経過時間にかかわらず、制御信号が入力されていないときには常に発光ユニット１を消灯状態とするので、たとえば制御装置に異常が発生して制御信号が途絶えた場合なども消灯状態を維持できる。なお、電源投入後に調光状態から全点灯状態に移行する照明器具１０と、最初から全点灯状態で始動する照明器具１０のように、始動時の動作が異なる複数台の照明器具１０を同時に点灯する場合でも、本実施形態の点灯装置２が適用されることによる利点がある。つまり、点灯装置２に制御信号が入力されていない状態ではいずれの照明器具１０も消灯状態を維持するので、マイコン等を用いて照明器具１０ごとに個別に所定時間の設定をしなくても、容易に所望の光出力や点灯タイミングで制御し易い等の利点がある。
【符号の説明】
【００５０】
１  発光ユニット
２  点灯装置
１０  照明器具
１１  発光素子
２０  フライバック回路（電力供給部）
２６  調光制御回路（調光制御部）
２７  フィードバック回路（調光制御部）
【図１】
0005828107.tif 000002
【図２】
0005828107.tif 000003
【図３】
0005828107.tif 000004
【図４】
0005828107.tif 000005